(57)【要約】【課題】信号の測定手段の異常を検知できるようにする。【解決手段】制御部１０１は、選択部２１０を制御し、選択部２１０に接続されている信号線１１ａ、信号線１１ｃ、信号線１１ｄおよびダミー回路１１０に接続されている信号線を順次ＡＤ変換ポートへ接続する。制御部１０１は、接続された信号線毎に電圧を測定し、接続された信号線に流れる電流の電流値Ｉを、測定した電圧から算出し、算出した電流値を記録する。制御部１０１は、ダミー回路１１０を流れる電流の電流値の測定結果と、ダミー回路１１０に接続された信号線以外の信号線を流れる電流の電流値の測定結果に基づいて、信号線の電圧を測定するハードウェアの異常と信号線の異常を検知する。【選択図】図１
2020052964.tif 000002
【特許請求の範囲】
【請求項１】
端末機器に接続する信号線およびダミー回路に接続する信号線において測定対象となる信号線を切り替える切替手段と、
前記切替手段により測定対象となった信号線を流れる電流値または電圧値を少なくとも測定する測定手段と、
前記端末機器に接続する信号線の前記測定手段による測定結果と、前記ダミー回路に接続する信号線の前記測定手段による測定結果を記録する記録手段と
を備える防災システム。
【請求項２】
前記記録手段に記録された前記ダミー回路に接続する信号線を流れる電流値または電圧値の測定結果に基づいて、前記測定手段の異常を検知する第１検知手段
を備える請求項１に記載の防災システム。
【請求項３】
前記記録手段に記録された前記端末機器に接続する信号線を流れる電流値または電圧値の測定結果と、前記記録手段に記録された前記ダミー回路に接続する信号線を流れる電流値または電圧値の測定結果に基づいて、前記端末機器に接続する信号線の異常を検知する第２検知手段
を備える請求項１または請求項２に記載の防災システム。
【請求項４】
前記第２検知手段は、前記ダミー回路に接続する信号線を流れる電流値または電圧値の測定結果が予め定められた閾値範囲内である場合に、前記測定手段に異常がないと判定し、前記測定手段に異常がないと判定した場合、前記記録手段に記録された前記端末機器に接続する信号線を流れる電流値または電圧値の測定結果が予め定められた閾値範囲外であると当該信号線の異常と判定し、
前記記録手段に記録された前記端末機器に接続する信号線を流れる電流値または電圧値の測定結果と、前記記録手段に記録された前記ダミー回路に接続する信号線を流れる電流値または電圧値の測定結果に基づいて、前記閾値を設定する閾値設定手段
を備える請求項３に記載の防災システム。
【請求項５】
前記記録手段に記録された測定結果をグラフで表示する表示手段
を備える請求項１乃至４のいずれか１項に記載の防災システム。
【請求項６】
前記測定手段は、前記切替手段により測定対象となった信号線を予め定められた周期でサンプリングして測定する手段であって、設定されたタイミングで前記サンプリングを開始し、
前記タイミングを設定するタイミング設定手段を備える
請求項１乃至５のいずれか一項に記載の防災システム。
【発明の詳細な説明】
【技術分野】
【０００１】
本発明は、防災システムに関する。
【背景技術】
【０００２】
防災受信盤と端末機器で構成されるトンネル防災システムにおいては、手動通報装置、消火栓起動装置、ダクト温度検知器等の端末機器は、防災受信盤に信号回線で接続される。この信号回線がどのような状態にあるかを調べる発明として、例えば特許文献１に開示されたトンネル防災システムがある。このトンネル防災システムは、複数の信号回線から一の信号回線を順次選択し、選択した信号回線を制御部のＡＤ変換ポートに接続する。制御部は、接続された信号回線からＡＤ変換ポートに入力される信号をサンプリングすることにより、信号回線に流れる電流を測定して記録する。測定結果は、例えば、特許文献２に開示されているトンネル防災システムのように、防災受信盤が備えるメインモニタ装置やサブモニタ装置で表示することにより、ユーザが信号回線の絶縁の劣化等、信号回線がどのような状態にあるのかを把握することができる。
【先行技術文献】
【特許文献】
【０００３】
【特許文献１】特開２０１７−３４４８９号公報
【特許文献２】特開２０１８−４５５４１号公報
【発明の概要】
【発明が解決しようとする課題】
【０００４】
ところで、信号回線に接続するＡＤ変換ポートや、ＡＤ変換ポートのＡＤコンバータに不具合が発生した場合、測定値が異常な値となり、信号回線の劣化を判定できないこととなる。
【０００５】
本発明は、信号の測定手段の異常を検知できるようにすることを目的とする。
【課題を解決するための手段】
【０００６】
（１）発明に係る防災システムは、端末機器に接続する信号線およびダミー回路に接続する信号線において測定対象となる信号線を切り替える切替手段と、前記切替手段により測定対象となった信号線を流れる電流値または電圧値を少なくとも測定する測定手段と、前記端末機器に接続する信号線の前記測定手段による測定結果と、前記ダミー回路に接続する信号線の前記測定手段による測定結果を記録する記録手段とを備える。
【０００７】
（２）本発明に係る防災システムは、（１）に記載の構成において、前記記録手段に記録された前記ダミー回路に接続する信号線を流れる電流値または電圧値の測定結果に基づいて、前記測定手段の異常を検知する第１検知手段を備えることを特徴とする。
【０００８】
（３）また、本発明に係る防災システムは、（１）または（２）の構成において、前記記録手段に記録された前記端末機器に接続する信号線を流れる電流値または電圧値の測定結果と、前記記録手段に記録された前記ダミー回路に接続する信号線を流れる電流値または電圧値の測定結果に基づいて、前記端末機器に接続する信号線の異常を検知する第２検知手段を備えることを特徴とする。
【０００９】
（４）また、本発明に係る防災システムは、（３）の構成において、前記第２検知手段は、前記ダミー回路に接続する信号線を流れる電流値または電圧値の測定結果が予め定められた閾値範囲内である場合に、前記測定手段に異常がないと判定し、前記測定手段に異常がないと判定した場合、前記記録手段に記録された前記端末機器に接続する信号線を流れる電流値または電圧値の測定結果が予め定められた閾値範囲外であると当該信号線の異常と判定し、前記記録手段に記録された前記端末機器に接続する信号線を流れる電流値または電圧値の測定結果と、前記記録手段に記録された前記ダミー回路に接続する信号線を流れる電流値または電圧値の測定結果に基づいて、前記閾値を設定する閾値設定手段を備えることを特徴とする。
【００１０】
（５）また、本発明に係る防災システムは、（１）乃至（４）のいずれか一の構成において、前記記録手段に記録された測定結果をグラフで表示する表示手段を備えることを特徴とする。
【００１１】
（６）また、本発明に係る防災システムは、（１）乃至（５）のいずれか一の構成において、前記測定手段は、前記切替手段により測定対象となった信号線を予め定められた周期でサンプリングして測定する手段であって、設定されたタイミングで前記サンプリングを開始し、前記タイミングを設定するタイミング設定手段を備えることを特徴とする。
【発明の効果】
【００１２】
上記の（１）の構成によれば、信号線の劣化および信号の測定手段の異常を検知することができる。
上記の（２）の構成によれば、信号の測定手段の異常を自動で検知することができる。
上記の（３）の構成によれば、信号線の異常を自動で検知することができる。
上記の（４）の構成によれば、閾値を変更しない構成と比較して、信号線の異常を早く検知することができる。
上記の（５）の構成によれば、測定結果をユーザが確認することができる。
上記の（６）の構成によれば、測定する信号線を切り替えた後で安定した信号の測定結果を記録することができる。
【図面の簡単な説明】
【００１３】
【図１】本発明に係る防災システム１の構成を説明する図。
【図２】伝送部１０２の構成を示したブロック図。
【図３】測定回路２０２ａ、測定回路２０２ｃ、測定回路２０２ｄおよび測定回路２０２ｅの詳細を示した図。
【図４】ＧＯＴ１０４が表示するＧＵＩ画面の一例を示した図。
【図５】電流値の経時変化の一例を示した図。
【発明を実施するための形態】
【００１４】
［実施形態］
（全体構成）
図１は、防災システム１の概要を示した図である。防災システム１は、トンネル内で発生する火災の拡大を防ぐためのシステムである。図１においては、自動車専用道路で上り線のトンネル２ａと下り線のトンネル２ｂを有するトンネルに係る防災システム１の概要を示している。
【００１５】
トンネル２ａとトンネル２ｂの壁面には、トンネルの延伸方向に沿って予め定められた間隔で火災検知器３２が設置されている。火災検知器３２は、トンネルの上流側と下流側を監視して火災による炎を検知する。火災による炎が火災検知器３２により検知されると、火災信号が流れる。
【００１６】
トンネル２ａとトンネル２ｂには、トンネルの延伸方向に沿って換気や排気のためのダクトが設けられており、ダクト内においては、予め定められた間隔で温度検知器３１が設置されている。温度検知器３１は、接点手段として機能するスイッチを備えており、火災によりダクト内の温度が上昇すると、このスイッチがオンとなり、温度検知信号が流れる。
【００１７】
また、トンネル２ａとトンネル２ｂの監視員通路の壁面には、監視員通路の延伸方向に沿って、予め定められた間隔で消火栓装置３３と手動通報装置３４が設置されている。
【００１８】
消火栓装置３３は、初期消火用の放水設備であり、ノズル付きホースが接続された消火栓と消火器を扉内に収納している。火災時には消火栓扉を開いてノズル付きホースを引き出し、消火栓弁開閉レバーを開操作すると、消火栓へ給水を行うための消火栓起動スイッチがオンとなり、起動信号が流れる。起動信号が流れると、消火栓に給水を行う消火ポンプが起動し、ホースのノズルから消火用水が放水される。
【００１９】
また、消火栓装置３３には、消防隊が使用する給水栓と、給水栓へ給水を行う消火ポンプを起動する給水栓起動スイッチが設けられている。消防隊の操作により給水栓起動スイッチがオンとなると、起動信号が流れる。起動信号が流れると、消火ポンプが起動し、給水栓へ給水が行われる。なお、給水栓は必須の構成ではないため、消火栓装置３３は、給水栓を備えていない構成であってもよい。
【００２０】
なお、消火栓起動スイッチと給水栓起動スイッチは、共に同じ消火ポンプ起動して起動信号を出力するスイッチであることから、以下、消火栓起動スイッチおよび給水栓起動スイッチを起動スイッチと称する場合がある。
【００２１】
手動通報装置３４は、火災を知らせるための装置であり、押しボタンが操作されてスイッチがオンとなると、火災通報信号が流れる。なお、押しボタン式である手動通報装置は、トンネル２ａとトンネル２ｂの壁面に設けられた非常電話機にも設置されている。
【００２２】
手動通報装置３４、消火栓装置３３および温度検知器３１は、本発明に係る端末機器の一例である。
【００２３】
防災受信盤１０は、トンネル内の異常を検知する機能を有し、火災の発生を報知し、他の設備と連動してトンネル内の火災の拡大を防ぐ設備である。防災受信盤１０は、トンネルの通信機械室に設置されている。防災受信盤１０は、Ｐ型のシステムであり、温度検知器３１に接続されている信号線１１ａ、火災検知器３２に接続されている信号線１１ｂ、手動通報装置３４に接続されている信号線１１ｄ、および起動スイッチに接続されている信号線１１ｃが接続されている。
【００２４】
温度検知器３１に接続する信号線１１ａは、トンネル内を分割した複数の区画毎に設けられており、複数の信号線１１ａの各々は、対応する区画に設置されている温度検知器３１に接続されている。火災検知器３２に接続する信号線１１ｂは、トンネル内を分割した複数の区画毎に設けられており、複数の信号線１１ｂの各々は、対応する区画に設置されている火災検知器３２に接続されている。手動通報装置３４に接続する信号線１１ｄは、トンネル内を分割した複数の区画毎に設けられており、複数の信号線１１ｄの各々は、対応する区画に設置されている手動通報装置３４に接続されている。起動スイッチに接続する信号線１１ｃは、トンネル内を分割した複数の区画毎に設けられており、複数の信号線１１ｃの各々は、対応する区画に設置されている起動スイッチに接続されている。
【００２５】
また、防災システム１は、消火ポンプの制御と、ダクトを冷却するダクト冷却ポンプの制御を行うポンプ制御盤２１を備える。
【００２６】
（防災受信盤１０の構成）
防災受信盤１０は、制御部１０１、伝送部１０２、通信部１０３、ＧＯＴ１０４、操作部１０５、警報部１０６、ポンプ制御部１０７、表示部１０８、記憶部１０９およびダミー回路１１０を備える。
【００２７】
制御部１０１は、所謂ＰＬＣ（Programmable Logic Controller）であり、ＣＰＵおよびメモリを有するＣＰＵユニット、電源ユニット、ＡＤ変換機能を有する入力ポートを含む各種の入力ポートおよび出力ポートを備えた入出力ユニットを備える。
【００２８】
伝送部１０２は、信号線１１ａ、信号線１１ｂ、信号線１１ｃおよび信号線１１ｄに接続されている。伝送部１０２は、温度検知信号、火災信号、起動信号、および火災通報信号を制御部１０１へ供給する。
【００２９】
ＧＯＴ（Graphic Operation Terminal）１０４は、タッチパネルを備えた入出力装置である。ＧＯＴ１０４は、制御部１０１と協働して各種のＧＵＩ画面を表示し、ＧＵＩ画面に対して行われた操作を受け付ける。ＧＯＴ１０４は、信号線１１ａ、信号線１１ｃおよび信号線１１ｄを流れる電流の測定結果の表示や、電流の測定に係る設定画面の表示などを行う。また、ＧＯＴ１０４は、ＵＳＢ端子を備えており、ＵＳＢ端子に接続されたＵＳＢメモリに対して各種データを出力する。
【００３０】
通信部１０３は、通信ネットワーク３を介して外部の上位設備である遠隔制御設備３０と通信を行うための通信インターフェースとして機能する。操作部１０５は、防災受信盤１０を操作するための各種スイッチやボタンを有する。警報部１０６は、スピーカ、主音響装置、警報表示灯を有し、火災発生時に警報を発する。ポンプ制御部１０７は、ポンプ制御盤２１を制御し、消火ポンプやダクト冷却ポンプの制御を行う。表示部１０８は、液晶ディスプレイ装置を有し、火災の発生の警報表示や、信号線１１ａ、信号線１１ｃおよび信号線１１ｄを流れる電流の異常表示などを行う。記憶部１０９は、例えば、メモリカードなどの不揮発性メモリであり、伝送部１０２に接続されている信号線に流れる電流や電圧などの測定結果を記憶する。ダミー回路１１０は、制御部１０１のＡＤ変換ポートの故障を判定するための回路である。ダミー回路１１０は、伝送部１０２に接続されている。なお、制御部１０１は、ＰＬＣに限定されるものではなく、ＣＰＵ、メモリ、入出力ユニットを備えたマイクロコンピュータまたはパーソナルコンピュータであってもよい。また、本実施形態においては、表示部１０８と操作部１０５とがメイン表示操作部を構成し、ＧＯＴ１０４がサブ表示操作部を構成し、別々の構成となっているが、一体の構成であってもよい。
【００３１】
（伝送部１０２の構成）
図２は、伝送部１０２の構成を示したブロック図である。トンネル内を分割した複数の区画５の各々には、区画５に配置されている温度検知器３１、消火栓装置３３、手動通報装置３４が含まれる。伝送部１０２は、トンネル内を分割した複数の区画５毎に入出力ユニット２００を備えている。また、伝送部１０２は、測定回路２０２ｅを備える。測定回路２０２ｅは、ダミー回路１１０に流れる電流を測定するための回路であり、ダミー回路１１０に接続されている。
【００３２】
入出力ユニット２００は、信号受信部２０１ａ、信号受信部２０１ｃおよび信号受信部２０１ｄを有する。信号受信部２０１ａは、対応する区画５に含まれる温度検知器３１に信号線１１ａで接続されている。信号受信部２０１ｃは、対応する区画５に含まれる消火栓装置３３に信号線１１ｃで接続されている。信号受信部２０１ｄは、対応する区画５に含まれる手動通報装置３４に信号線１１ｄで接続されている。
【００３３】
また、入出力ユニット２００は、測定回路２０２ａ、測定回路２０２ｃおよび測定回路２０２ｄを有する。測定回路２０２ａは、信号線１１ａに流れる電流を測定するための回路である。測定回路２０２ｃは、信号線１１ｃに流れる電流を測定するための回路である。測定回路２０２ｄは、信号線１１ｄに流れる電流を測定するための回路である。
【００３４】
図３は、測定回路２０２ａ、測定回路２０２ｃ、測定回路２０２ｄおよび測定回路２０２ｅの詳細を示した図である。信号線１１ａ、信号線１１ｃおよび信号線１１ｄは、具体的には、信号ラインＬとコモンラインＣで構成されている。信号ラインＬは抵抗Ｒ２を介して電源電圧Ｖｃに接続されてプルアップされて直流信号が流れており、コモンラインＣはグランドに接続されている。
【００３５】
ダミー回路１１０は、終端抵抗Ｒ１と信号ラインＬを有する。ダミー回路１１０の信号ラインＬは抵抗Ｒ２を介して電源電圧Ｖｃに接続されてプルアップされて直流信号が流れており、終端抵抗Ｒ１は、グランドに接続されている。
【００３６】
信号ラインＬとコモンラインＣからなる信号線１１ａには、温度検知器３１に設けられているスイッチＳＷａおよび終端抵抗Ｒ１が並列に接続されており、通常状態でスイッチＳＷａは図示したようにオフとなっている。
【００３７】
信号ラインＬとコモンラインＣからなる信号線１１ｃには、消火栓装置３３に設けられている起動スイッチＳＷｃおよび終端抵抗Ｒ１が並列に接続されており、通常状態で起動スイッチＳＷｃは図示したようにオフとなっている。
【００３８】
信号ラインＬとコモンラインＣからなる信号線１１ｄには、手動通報装置３４に設けられているスイッチＳＷｄおよび終端抵抗Ｒ１が並列に接続されており、通常状態でスイッチＳＷｄは図示したようにオフとなっている。
【００３９】
スイッチＳＷａがオフしている通常状態では、信号ラインＬとコモンラインＣの間の電圧は電源電圧Ｖｃとなっており、この電圧が信号受信部２０１ａに入力されている。スイッチＳＷａのいずれかが温度上昇によりオンとなると、信号ラインＬとコモンラインＣの間の電圧が低下する。信号受信部２０１ａは、信号ラインＬとコモンラインＣの間の電圧が予め定められた電圧より低下した場合、温度検知信号を制御部１０１へ出力する。
【００４０】
また、起動スイッチがオフしている通常状態では、信号ラインＬとコモンラインＣの間の電圧は電源電圧Ｖｃとなっており、この電圧が信号受信部２０１ｃに入力されている。起動スイッチＳＷｃのいずれかがオンとなると、信号ラインＬとコモンラインＣの間の電圧が低下する。信号受信部２０１ｃは、信号ラインＬとコモンラインＣの間の電圧が予め定められた電圧より低下した場合、起動信号を制御部１０１へ出力する。
【００４１】
スイッチＳＷｄがオフしている通常状態では、信号ラインＬとコモンラインＣの間の電圧は電源電圧Ｖｃとなっており、この電圧が信号受信部２０１ｄに入力されている。押しボタンが操作されてスイッチＳＷｄのいずれかがオンとなると、信号ラインＬとコモンラインＣの間の電圧が低下する。信号受信部２０１ｄは、信号ラインＬとコモンラインＣの間の電圧が予め定められた電圧より低下した場合、火災通報信号を制御部１０１へ出力する。
【００４２】
測定回路２０２ａ、測定回路２０２ｃおよび測定回路２０２ｄは、信号ラインＬとコモンラインＣとの間の電圧を検出するための回路であり、信号ラインＬに接続する信号ラインＬａを有する。測定回路２０２ｅは、ダミー回路１１０の信号ラインＬとグランド間の電圧を検出するための回路であり、信号ラインＬに接続する信号ラインＬａを有する。なお、測定回路２０２ａ、測定回路２０２ｃおよび測定回路２０２ｄは、図示した回路に限定されるものではなく、信号ラインＬにおいて信号ラインＬａが接続されている点とコモンラインＣとの間の電圧を信号ラインＬに流れる電流の増減に応じて変化させる回路であればよい。また、測定回路２０２ｅについても図示した回路に限定されるものではなく、信号ラインＬにおいて信号ラインＬａが接続されている点とグランド間の電圧を信号ラインＬに流れる電流の増減に応じて変化させる回路であればよい。
【００４３】
選択部２１０は、接続される複数の信号ラインＬａ毎にリレー回路を備えている。選択部２１０においては、制御部１０１からの制御信号によりリレー回路が動作し、複数の信号ラインＬａのうちの一つがリレー回路により制御部１０１のＡＤ変換ポートに接続される。選択部２１０は、本発明に係る切替手段の一例である。
【００４４】
（制御部１０１の構成）
制御部１０１においては、ＣＰＵがプログラムを実行することにより、本発明に係る電流測定部１００１、検知部１００２、設定部１００３、監視部１００４、ＧＵＩ部１００５を実現する。
【００４５】
監視部１００４は、伝送部１０２から供給される信号に応じて各部を制御する。監視部１００４は、例えば、手動通報装置３４の操作による火災通報信号を受信した場合、警報部１０６を制御して主音響装置を鳴動させ、表示部１０８を制御して火災表示と手動通報区画表示を行う。また、監視部１００４は、火災通報信号を受信した場合、ポンプ制御部１０７でポンプ制御盤２１を制御して消火ポンプを起動する。
【００４６】
また、監視部１００４は、ダクト内温度が上昇したことにより温度検知信号を受信した場合、ポンプ制御部１０７でポンプ制御盤２１を制御して冷却ポンプを起動し、ダクト内に設置されているヘッドから散水してダクト内を冷却する制御を行う。
【００４７】
電流測定部１００１は、信号線１１ａ、信号線１１ｃ、信号線１１ｄおよびダミー回路１１０に流れる電流の電流値を測定し、測定結果を記憶部１０９に記録する。具体的には、電流測定部１００１は、信号ラインＬａとグランド間の電圧ＶａをＡＤ変換ポートで測定することにより、信号ラインＬに流れる電流の電流値Ｉを、例えば、Ｉ＝（Ｖｃ−Ｖａ）／Ｒ２の式で算出する。電流測定部１００１は、本発明に係る測定手段の一例である。
【００４８】
電流測定部１００１は、一日の予め定められた時刻になると、選択部２１０を制御し、選択部２１０に接続されている信号ラインＬａを順次ＡＤ変換ポートへ接続する。電流測定部１００１は、接続された信号ラインＬａ毎に電圧を測定し、接続された信号ラインＬａに流れる電流の電流値Ｉを、測定した電圧から算出し、算出した電流値を記憶部１０９に記録する。
【００４９】
また、電流測定部１００１は、全ての信号ラインＬに流れる電流の測定を指示する操作がＧＯＴ１０４において行われた場合には、選択部２１０を制御して信号ラインＬａを順次ＡＤ変換ポートへ接続する。電流測定部１００１は、接続された信号ラインＬａ毎に電圧を測定し、接続された信号ラインＬａに流れる電流の電流値を測定した電圧から算出し、算出した電流値を記憶部１０９に記録する。
【００５０】
また、電流測定部１００１は、電流値を測定する信号ラインＬがＧＯＴ１０４において選択され、選択された信号ラインＬに流れる電流の測定を指示する操作がＧＯＴ１０４において行われた場合には、選択された信号ラインＬに接続されている信号ラインＬａをＡＤ変換ポートに接続する。電流測定部１００１は、接続された信号ラインＬａの電圧を測定し、接続された信号ラインＬａに流れる電流の電流値を測定した電圧から算出し、算出した電流値を記憶部１０９に記録する。
【００５１】
電流測定部１００１は、電圧Ｖａの測定の際には、選択部２１０を制御した後、設定部１００３で設定されたタイミングとなると、信号ラインＬａとグランド間の電圧Ｖａのサンプリングを開始する。電流測定部１００１は、電圧Ｖａのサンプリングを開始してから予め定められた時間が経過するとサンプリングを終了する。電流測定部１００１は、サンプリング毎に得た電圧Ｖａ毎に電流値Ｉを算出し、算出した電流値Ｉの平均値を記憶部１０９に記録する。電流測定部１００１は、本発明に係る記録手段の一例でもある。
【００５２】
信号ラインＬに流れる電流が増加すると、信号ラインＬとコモンラインＣとの間の電圧Ｖａが流れる電流の増加に比例して増加する。例えば、信号線１１ａの絶縁が劣化すると、絶縁抵抗が低下し、信号線１１ａを流れる電流が増加するため、信号ラインＬとコモンラインＣとの間の電圧Ｖａが増加する。電圧Ｖａが変化すると、前述の式で得られる電流値Ｉが変化するため、電流測定部１００１が信号ラインＬに流れる電流を測定し、記憶部１０９に記憶された電流値Ｉの変化を監視することにより、信号線の絶縁低下を判定することができる。
【００５３】
検知部１００２は、信号ラインＬａの電圧を測定するＡＤ変換ポートの異常を検知する機能を有する（変形例として後記する）。また、検知部１００２は、信号線１１ａ、信号線１１ｃおよび信号線１１ｄの劣化を検知する機能を有する。検知部１００２は、本発明に係る第１検知手段および第２検知手段の一例である。
【００５４】
ダミー回路１１０は、防災受信盤１０内に設けられているため、ダミー回路１１０の信号ラインＬの絶縁は、他の信号線１１ａ、信号線１１ｃおよび信号線１１ｄと比較すると、経年変化による低下が極めて小さい。このため、ダミー回路１１０に流れる電流の測定結果は、信号ラインＬａの電圧を測定するＡＤ変換ポートに異常がない場合、変化が小さく予め定められた範囲内となり、予め定められた範囲外となった場合には、信号ラインＬａの電圧を測定するＡＤ変換ポートに異常が発生したと判定できる。
【００５５】
設定部１００３は、選択部２１０を制御した後で電流測定部１００１がサンプリングを開始するタイミングを、ユーザの操作に応じて設定する。設定部１００３が設定したタイミングは、記憶部１０９に記憶される。また、設定部１００３は、後述の各種の閾値（又はしきい値）をユーザの操作に応じて設定することもできる（変形例等として後記する）。設定部１００３は、本発明に係る閾値設定手段とタイミング設定手段の一例である。なお、サンプリングを開始するタイミングを、測定する信号線を切り替えた後で信号が安定するタイミングに設定することにより、リレー回路を制御してチャタリングが発生しているときの信号を測定することがなく、安定した信号を測定して測定結果を記録することができる。
【００５６】
ＧＵＩ部１００５は、ＧＯＴ１０４に対して行われた操作や操作部１０５で行われた操作に応じてＧＯＴ１０４で各種画面を表示する。例えば、ＧＵＩ部１００５は、測定した電流値の測定結果を表示する操作が行われた場合、記憶部１０９に記憶されている測定結果を、ＧＯＴ１０４で表示する。また、ＧＵＩ部１００５は、電流測定部１００１がサンプリングを開始するタイミングを設定する画面を表示する。
【００５７】
（実施形態の動作例）
次に、信号ラインＬａの電圧を測定するＡＤ変換ポートの異常を検知するときの動作例と、信号線１１ａ、信号線１１ｃおよび信号線１１ｄの絶縁低下を検知するときの動作例について説明する。
【００５８】
図４は、信号ラインＬに流れる電流の測定を行うときにＧＯＴ１０４が表示するＧＵＩ画面（自動測定画面）の一例である。例えば、信号ラインを点検する利用者により図４に示したボタンＢ３を押す操作が行われると、電流測定部１００１は、選択部２１０を制御して信号ラインＬａを順次ＡＤ変換ポートへ接続する。電流測定部１００１は、接続された信号ラインＬａ毎に電圧を測定し、接続された信号ラインＬａに流れる電流の電流値を測定した電圧から算出し、算出した電流値を記憶部１０９に記録する。電流測定部１００１は、電圧測定の際には、ＡＤ変換ポートに接続される信号ラインＬａが替わった後、設定部１００３で設定されたタイミングとなると、信号ラインＬａとグランド間の電圧Ｖａのサンプリングを開始する。電流測定部１００１は、電圧Ｖａのサンプリングを開始してから予め定められた時間が経過するとサンプリングを終了する。
【００５９】
電流測定部１００１は、一の信号ラインＬａについて、流れる電流値の測定を終える毎にＧＵＩ画面を更新して測定値を表示する。例えば、電流測定部１００１は、信号ラインＬａの識別のために信号ラインＬａの各々に付与されている回線番号が００３の信号ラインＬａについて測定が終了すると、算出した電流値を「Ｎｏ．」の列の「００３」の行に表示する。なお、図４の画面例では、各回線番号に対応して、電流値を異常と判断するしきい値下限、電流値を異常と判断するしきい値上限、および電流値の測定値が表示されている。回線番号のいずれか一つは、ダミー回路１１０の信号ラインに対応している。そして、測定値がしきい値範囲外である場合は、電流値異常と判断されて、測定値の欄がハイライト表示される。
【００６０】
ユーザは、電流値の異常が検知された場合、ＧＯＴ１０４を操作してダミー回路１１０を流れる電流の測定結果の経時的な変化を確認する。ユーザは、ダミー回路１１０を流れる電流の測定結果が、記録の開始時点から変化している場合、ＡＤ変換ポートに異常があると判定する。また、ユーザは、ダミー回路１１０を流れる電流の測定結果が、記録の開始時点から変化していない場合、ＡＤ変換ポートに異常がないと判定する。なお、ユーザは、ダミー回路１１０を流れる電流の測定結果が、しきい値範囲外（しきい値下限としきい値上限との範囲外）である場合に、ＡＤ変換ポートに異常があると判定し、しきい値範囲内である場合に、ＡＤ変換ポートに異常がないと判定してもよい。つぎに、ユーザは、ＡＤ変換ポートに異常がない場合、測定値の欄がハイライト表示された回線番号の信号線について、絶縁が低下していると判定し、測定値の欄がハイライト表示されていない回線番号の信号線については、絶縁が低下していないと判定する。
【００６１】
なお、ダミー回路１１０を流れる電流の測定結果はＧＯＴ１０４に必ずしも表示しなくてもよい。その場合、ユーザは、記憶部１０９等の記憶内容を外部出力等することにより、ダミー回路１１０を流れる電流の測定結果の経時的な変化等を確認して、ＡＤ変換ポートの異常と信号線１１ａ，１１ｃ，１１ｄの絶縁低下とを判別することができる。
【００６２】
さらに、検知部１００２が、信号ラインＬａ（信号線１１ａ，１１ｃ，１１ｄ）に流れる電流の測定結果と、しきい値上限、しきい値下限とを比較して、信号線１１ａ等の劣化を自動判別しているが、当該測定結果からユーザが判別してもよい。その場合、ユーザは、記憶部１０９等の記憶内容を外部出力等することにより、信号ラインＬａ（信号線１１ａ，１１ｃ，１１ｄ）に流れる電流の測定結果、及びダミー回路１１０を流れる電流の測定結果の経時的な変化等を確認して、ＡＤ変換ポートの異常と信号線の絶縁低下とを判別することができる。
【００６３】
本実施形態によれば、ダミー回路１１０を流れる電流の電流値の測定結果から、信号線１１ａ、信号線１１ｃおよび信号線１１ｄの劣化の検知に使用するＡＤ変換ポートの異常を検知することができる。
【００６４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００６５】
上述した実施形態においては、ＡＤ変換ポートの異常を、ダミー回路１１０を流れる電流の測定結果からユーザが判定しているが、制御部１０１が自動で判定する構成としてもよい。例えば、検知部１００２は、全ての信号ラインＬａについて、流れる電流の電流値の測定を終了すると、ダミー回路１１０を流れる電流の測定結果に基づいて、ＡＤ変換ポートに異常があるか否かを判定する。図５（ａ）は、ダミー回路１１０を流れる電流の電流値の経時的な測定結果の一例を示す図である。検知部１００２は、ダミー回路１１０に流れる電流の測定結果を予め定められた第１閾値（しきい値上限）および第１閾値より小さい第２閾値（しきい値下限）と比較する。検知部１００２は、ダミー回路１１０を流れる電流の測定結果が第１閾値を超えている場合、または第２閾値未満である場合、ＡＤ変換ポートに異常があると判定する。ＡＤ変換ポートに異常があることを検知部１００２が検知すると、ＧＵＩ部１００５は、ＡＤ変換ポートに異常があることを知らせるための画面をＧＯＴ１０４に表示させるようにしてもよい。
【００６６】
このように、検知部１００２は、ダミー回路１１０を流れる電流の測定結果が、予め定められた閾値範囲外である場合に、ＡＤ変換ポートに異常があると判定し、予め定められた閾値範囲内である場合に、ＡＤ変換ポートに異常がないと判定する。つぎに、検知部１００２は、ＡＤ変換ポートに異常がない場合、上述した図４の動作例と同様に、端末機器に接続する信号線を流れる電流の測定結果が、予め定められた閾値範囲外である場合に、端末機器に接続する信号線の異常と判定し、予め定められた閾値範囲内である場合に、端末機器に接続する信号線の正常と判定する。
【００６７】
また、本発明においては、検知部１００２は、ダミー回路１１０を流れる電流の測定結果が上記の第１閾値以下且つ第２閾値以上である場合、信号線を流れる電流の経時的な変化量と、ダミー回路１１０を流れる電流の経時的な変化量から、ＡＤ変換ポートの異常を検知してもよい。図５（ｂ）は、ダミー回路１１０を流れる電流の経時的な測定結果の一例を示す図である。図５（ｂ）においては、ダミー回路１１０を流れる電流の記録開始時点からの変化量は、ａ１となっている。図５（ｃ）は、信号線を流れる電流の記録開始時点からの経時的な測定結果の一例を示す図である。図５（ｃ）においては、信号線を流れる電流の電流値の変化量は、ａ２となっている。検知部１００２は、変化量ａ１と変化量ａ２が共に予め定められた閾値を超える場合、ＡＤ変換ポートに異常があると判定してもよい。また、検知部１００２は、変化量ａ２が予め定められた閾値を超え、変化量ａ１が予め定められた閾値より低い場合、信号線の絶縁が低下していると判定してもよい。
【００６８】
本発明においては、検知部１００２は、ダミー回路１１０を流れる電流の初回の測定結果と最新の測定結果との差が予め定められた閾値を超える場合、信号ラインＬａの電圧を測定するＡＤ変換ポートに異常があると判定してもよい。
【００６９】
本発明においては、設定部１００３は、信号線１１ａ、信号線１１ｃおよび信号線１１ｄに異常が発生していることを判定するためのしきい値上限としきい値下限を、電流測定部１００１が行った測定の結果に応じて変更してもよい。例えば、設定部１００３は、ダミー回路１１０を流れる電流の電流値の変化量ａ１と、予め定められた信号線を流れる電流の電流値の変化量ａ２が共に予め定められた閾値以下であり、変化量ａ１と変化量ａ２の差が予め定められた閾値以下である場合、初期設定よりしきい値上限を小さくし、初期設定よりしきい値下限を大きくしてもよい。また、設定部１００３は、しきい値上限としきい値下限を変更する場合は、複数の信号線１１ａ、信号線１１ｃおよび信号線１１ｄ毎にしきい値上限およびしきい値下限を変更してもよい。
【００７０】
本発明においては、信号線１１ａ、信号線１１ｃおよび信号線１１ｄを流れる電流の測定結果の経時的変化と、ダミー回路１１０を流れる電流の測定結果の経時的変化をＧＯＴ１０４においてグラフで表示してもよい。
【００７１】
上述した実施形態においては、電圧Ｖａを測定し、電圧Ｖａから算出した電流値Ｉを記憶部１０９に記録しているが、本発明においては、ＡＤ変換ポートで測定した電圧Ｖａの平均値を記憶部１０９に記録する構成としてもよい。
【００７２】
上述した実施形態においては、トンネル内に設置されている端末機器と防災受信盤１０とを接続する信号線について、流れる電流を防災受信盤１０で測定しているが、例えば、ビルなどの建築物に設置される火災受信機と熱や煙を感知する感知器や発信機とを接続する信号線に流れる電流について、火災受信機で測定してもよい。
【符号の説明】
【００７３】
１…防災システム、２ａ、２ｂ…トンネル、３…通信ネットワーク、５…区画、１０…防災受信盤、１１ａ、１１ｂ、１１ｃ、１１ｄ…信号線、２１…ポンプ制御盤、３０…遠隔制御設備、３１…温度検知器、３２…火災検知器、３３…消火栓装置、３４…手動通報装置、１０１…制御部、１０２…伝送部、１０３…通信部、１０４…ＧＯＴ、１０５…操作部、１０６…警報部、１０７…ポンプ制御部、１０８…表示部、１０９…記憶部、１１０…ダミー回路、２００…入出力ユニット、２０１ａ、２０１ｃ、２０１ｄ…信号受信部、２０２ａ、２０２ｃ、２０２ｄ、２０２ｅ…測定回路、２１０…選択部、１００１…電流測定部、１００２…検知部、１００３…設定部、１００４…監視部、１００５…ＧＵＩ部。
【図１】
2020052964.tif 000003
【図２】
2020052964.tif 000004
【図３】
2020052964.tif 000005
【図４】
2020052964.tif 000006
【図５】
2020052964.tif 000007